(57)【要約】      （修正有）【課題】図書館利用者が所有する高機能携帯端末を用いて、図書館の書籍管理パソコンのデータベースを検索し、所望の書籍が収納されている棚を特定する。【解決手段】図書館に収蔵される書籍の書籍情報や収納棚位置情報、撮影した表紙写真等の各情報を書籍管理パソコン８のデータベース９に登録すると共に、これらの情報をマトリックス型二次元コードに変換して登録する。図書館利用者の高機能携帯端末１５をデータベース９に接続して、書籍情報、収納棚位置情報および表紙写真情報を検索し、マトリックス型二次元コード１０を図書館利用者の高機能携帯端末１５に保存して、これをリーダー１９にかざし、所望の書籍が収納されている棚を特定する。【選択図】図１０
2015215881.tif 000002
【特許請求の範囲】
【請求項１】
図書館における書籍管理者が、スマートフォン、タブレットあるいは携帯パソコン等の高機能携帯端末に、図書館に新しく収蔵される書籍に付けられた資料番号、書籍名、著者名、発行年月日等の書籍情報および書籍を収納する収納棚の棚列・棚段番号等の収納棚位置情報を登録すると共に、前記登録された各情報をマトリックス型二次元コードに変換して登録する一方、前記高機能携帯端末のカメラ機能を利用して書籍表紙画像を撮影して、前記高機能携帯端末に前記表紙画像を写真情報として取込んで前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに送信して登録すると共に、図書館利用者が所有する高機能携帯端末を図書館の前記書籍管理パソコンのデータベースに有線または無線で接続して、該データベースに登録された書籍情報、収納棚位置情報および表紙写真情報を前記高機能携帯端末で検索し、図書館利用者は自己の高機能携帯端末を用いて、前記書籍管理パソコンのデータベースから、前記マトリックス型二次元コードを高機能携帯端末に取り込んで、該マトリックス型二次元コードを電動式移動棚装置または固定棚装置に設置されたリーダーにかざして、該マトリックス型二次元コードに記録された情報を、タッチパネル式ディスプレイ装置に表示させ、前記タッチパネル式ディスプレイ装置に表示された情報が、図書館利用者の所望する書籍の情報と一致するものであれば、前記タッチパネル式ディスプレイ装置のタッチパネルスイッチにタッチして、電動式移動棚装置にあっては、移動棚制御システムを介して移動棚の移動指令を発し、所望の書籍が収納されている棚通路に進入できるよう作業用通路が形成され、また固定棚装置にあっては、前記タッチパネル式ディスプレイ装置に表示された棚列・棚段番号に関する情報に従い、図書館利用者は所望の書籍が収納されている固定棚の作業用通路に進入し前記書籍を取出すことができるようにしたことを特徴とする図書館の書籍管理者が高機能携帯端末を用いて書籍管理パソコンのデータベースに登録した書籍情報、収納棚位置情報および書籍表紙写真情報を、図書館利用者が所有する高機能携帯端末を用いて検索する検索システム。
【発明の詳細な説明】
【技術分野】
【０００１】
本発明は、図書館における書籍管理者が、スマートフォン、タブレットあるいは携帯パソコン等の高機能携帯端末に、図書館に新しく収蔵される書籍に付けられた資料番号、書籍名等の書籍情報および書籍を収納する収納棚位置情報を登録すると共に、前記登録された各情報をマトリックス型二次元コードに変換して登録する一方、前記高機能携帯端末のカメラ機能を利用して書籍表紙画像を撮影して、前記高機能携帯端末に前記表紙画像を写真情報として取込んで前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに送信して登録すると共に、図書館利用者が所有するスマートフォン、タブレットあるいは携帯パソコン等の高機能携帯端末を図書館の前記書籍管理パソコンのデータベースに有線または無線で接続して、該データベースに登録された書籍情報、収納棚位置情報および表紙写真情報を、前記図書館利用者の高機能携帯端末で検索して、前記マトリックス型二次元コードを図書館利用者の高機能携帯端末に保存し、且つ該マトリックス型二次元コードをリーダーにかざして、所望の書籍が収納さている棚を特定することができるようにした検索システムに関するものである。
【背景技術】
【０００２】
図書館における書籍管理者が、スマートフォン、タブレットあるいは携帯パソコン等の高機能携帯端末に、図書館に新しく収蔵される書籍に付けられた資料番号、書籍名等の書籍情報および書籍を収納する収納棚位置情報を登録すると共に、前記登録された各情報をマトリックス型二次元コードに変換して登録する一方、前記高機能携帯端末のカメラ機能を利用して書籍表紙画像を撮影して、前記高機能携帯端末に前記表紙画像を写真情報として取込んで前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに送信して登録すると共に、図書館利用者が所有するスマートフォン、タブレットあるいは携帯パソコン等の高機能携帯端末を図書館の前記書籍管理パソコンのデータベースに有線または無線で接続して、該データベースに登録された書籍情報、収納棚位置情報および表紙写真情報を、前記図書館利用者が所有する高機能携帯端末で検索できるようにした検索システムは、従来何等実用に供されていない。また、前記技術手段につき過去の先行特許文献を遡及探索しても、１件の先行技術も開示されていなかった。そして、単に、下記の特許文献１に示すような携帯端末を使用する書籍管理システムに関する先行技術が開示されているに過ぎない。
【０００３】
前記特許文献１記載の発明は、「図書管理システム及び図書管理方法並びに図書管理プログラムを記録した記録媒体」に関する発明であり、携帯端末装置（携帯電話）を使用するが、該携帯端末装置はバーコードリーダーを備え、該バーコードリーダーにより図書に貼付されているバーコードを読み込み、そのバーコードデータをＣＰＵに入力して、図書情報に変換された後、メモリーに蓄積されて、該メモリーに蓄積された情報を図書情報管理装置（図書管理パソコン）に転送して図書情報を更新するようにするものであり、図書の収納されている収納棚の棚列・棚段番号や図書の情報をマトリックス二次元コードに変換して登録すると共に、図書の表紙画像を写真情報として前記マトリックス型二次元コードに紐付けして登録するという手段は全く存在せず、図書館利用者がスマートフォン等の高機能携帯端末を利用して図書を検索するシステムとしては不充分であるという課題があった。
【先行技術文献】
【特許文献】
【０００４】
【特許文献１】特開１１−３２８２０２号公報
【発明の概要】
【発明が解決しようとする課題】
【０００５】
本発明は、前記課題を解決すべくなされたものであって、図書館における書籍管理者が、スマートフォン、タブレットあるいは携帯パソコン等の高機能携帯端末に、図書館に新しく収蔵される書籍の書籍情報および書籍を収納する収納棚位置情報を登録すると共に、前記登録された各情報をマトリックス型二次元コードに変換して登録する一方、前記高機能携帯端末のカメラ機能を利用して書籍表紙画像を撮影して、前記高機能携帯端末に前記表紙画像を写真情報として取込んで前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに送信して登録すると共に、図書館利用者が所有するスマートフォン等の高機能携帯端末を図書館の前記書籍管理パソコンのデータベースに有線または無線で接続して、該データベースに登録された書籍情報、収納棚位置情報および表紙写真情報を高機能携帯端末で検索して、所望の書籍が収納さている棚を特定することができるようにした検索システムに関するものである。
【課題を解決するための手段】
【０００６】
本発明は、図書館における書籍管理者が、スマートフォン、タブレットあるいは携帯パソコン等の高機能携帯端末に、図書館に新しく収蔵される書籍に付けられた資料番号、書籍名、著者名、発行年月日等の書籍情報および書籍を収納する収納棚の棚列・棚段番号等の収納棚位置情報を登録すると共に、前記登録された各情報をマトリックス型二次元コードに変換して登録する一方、前記高機能携帯端末のカメラ機能を利用して書籍表紙画像を撮影して、前記高機能携帯端末に前記表紙画像を写真情報として取込んで前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに送信して登録すると共に、図書館利用者が所有する高機能携帯端末を図書館の前記書籍管理パソコンのデータベースに有線または無線で接続して、該データベースに登録された書籍情報、収納棚位置情報および表紙写真情報を前記高機能携帯端末で検索し、図書館利用者は自己の高機能携帯端末を用いて、前記書籍管理パソコンのデータベースから、前記マトリックス型二次元コードを高機能携帯端末に取り込んで、該マトリックス型二次元コードを電動式移動棚装置または固定棚装置に設置されたリーダーにかざして、該マトリックス型二次元コードに記録された情報を、タッチパネル式ディスプレイ装置に表示させ、前記タッチパネル式ディスプレイ装置に表示された情報が、図書館利用者の所望する書籍の情報と一致するものであれば、前記タッチパネル式ディスプレイ装置のタッチパネルスイッチにタッチして、電動式移動棚装置にあっては、移動棚制御システムを介して移動棚の移動指令を発し、所望の書籍が収納されている棚通路に進入できるよう作業用通路が形成され、また固定棚装置にあっては、前記タッチパネル式ディスプレイ装置に表示された棚列・棚段番号に関する情報に従い、図書館利用者は所望の書籍が収納されている固定棚の作業用通路に進入し前記書籍を取出すことができるようにすることにより、上記課題を解決した。
【発明の効果】
【０００７】
前記構成より成る本発明によれば、図書館に新しく収蔵される書籍の書籍情報および書籍を収納する収納棚位置情報の各情報を、書籍管理パソコンのデータベースに登録し、且つ前記登録された各情報をマトリックス型二次元コードに変換して登録すると共に、前記高機能携帯端末のカメラ機能を利用して書籍表紙画像を撮影して、該表紙画像を写真情報として前記マトリックス型二次元コードに紐付けして前記書籍管理パソコンのデータベースに登録する一方、図書館利用者が所有する高機能携帯端末を前記書籍管理パソコンのデータベースに接続して、該データベースに登録された書籍情報、収納棚位置情報および表紙写真情報を検索できるようにすることにより、図書館利用者は自己の高機能携帯端末を用いて、前記書籍管理パソコンのデータベースから、前記マトリックス型二次元コードを利用者の高機能携帯端末に取り込んで、該マトリックス型二次元コードを電動式移動棚装置または固定棚装置に設置されたリーダーにかざして、該マトリックス型二次元コードに記録された情報を、タッチパネル式ディスプレイ装置に表示させ、前記タッチパネル式ディスプレイ装置に表示された情報が、図書館利用者の所望する書籍の情報と一致するものであれば、前記タッチパネル式ディスプレイ装置のタッチパネルスイッチにタッチして、電動式移動棚装置であれば、移動棚制御システムを介して移動棚の移動指令を発し、所望の書籍が収納されている棚通路に進入できるよう作業用通路が形成され、または、固定棚装置であれば、前記タッチパネル式ディスプレイ装置に表示された棚列・棚段番号に関する情報に従い、図書館利用者は所望の書籍が収納されている固定棚の作業用通路に進入し前記書籍を取出すことができ、図書館利用者は前記マトリックス型二次元コードを自己の高機能携帯端末に保存しておけば、何度も当該書籍の取り出しの際、新たに書籍の検索をすることなく使用することができる。更に、本発明システムには、従来の検索システムには存在しない表紙写真情報をも表示できるので、書籍の確認および検索が確実に、且つ容易にできるのである。
【図面の簡単な説明】
【０００８】
【図１】本発明検索システムにおいて、予め図書館の書籍管理パソコンのデータベースに登録する書籍を裏表紙側から見た斜視図である。
【図２】本発明検索システムおいて、書籍を収納する電動式移動棚の斜視図である。
【図３】本発明検索システムにおいて、予め図書館の書籍管理パソコンのデータベースに登録する際に使用する図書管理者のスマートフォンの「メインメニュー」のホーム画面を示す正面図である。
【図４】本発明検索システムにおいて、予め図書館の書籍管理パソコンのデータベースに登録する際に使用する図書管理者のスマートフォンの「メインメニュー」の初期画面で、「新規登録」キーをタップして表示された「登録情報入力」の初期画面を示す正面図である。
【図５】本発明検索システムにおいて、予め図書館の書籍管理パソコンのデータベースに登録する際に使用する図書管理者のスマートフォンの「登録情報入力」の初期画面で、「カメラ起動アイコン」キーをタップしてカメラを起動状態として、書籍の表紙の撮影を可能とした画面を示す正面図である。
【図６】本発明検索システムにおいて、予め図書館の書籍管理パソコンのデータベースに登録する際に使用する図書管理者のスマートフォンの「登録情報入力」の初期画面で、「棚板読取」キーをタップして、カメラを起動状態として「棚列・棚段バーコード」を読込み可能とした画面を示す正面図である。
【図７】本発明検索システムにおいて、予め図書館の書籍管理パソコンのデータベースに登録する際に使用する図書管理者のスマートフォンの「登録情報入力」の初期画面で、「ＩＳＢＮ読取」キーをタップしてカメラを起動状態として「ＩＳＢＮバーコード」を読込み可能とした画面を示す正面図である。
【図８】本発明検索システムにおいて、予め図書館の書籍管理パソコンのデータベースに登録する際に使用する図書管理者のスマートフォンの「登録情報入力」の初期画面で、所定の登録情報入力が完了することにより、該入力された情報を確認するために、自動的に起動された「登録情報入力の確認」画面の正面図である。
【図９】本発明検索システムにおいて、予め図書館の書籍管理パソコンのデータベースに登録する際に使用する図書管理者のスマートフォンの「登録情報入力」の確認画面で、「ＱＲコード（マトリックス型二次元コード）保存」キーをタップして、生成されたマトリックス型二次元コードを表示して、該マトリックス型二次元コードを保存するための画面を示す正面図である。
【図１０】本発明検索システムを、電動式移動棚装置に適用した状態を示す概略説明図である。
【図１１】本発明検索システムを、固定棚装置に適用した状態を示す概略説明図である。
【図１２】本発明検索システムにおける利用者のスマートフォンの「メインメニュー」のホーム画面を示す正面図である。
【図１３】本発明検索システムにおける利用者のスマートフォンの「書類名検索」画面を示す正面図である。
【図１４】本発明検索システムにおける利用者のスマートフォンの「検索結果」画面を示す正面図である。
【図１５】本発明検索システムにおける利用者のスマートフォンの「書籍情報」画面を示す正面図である。
【図１６】本発明検索システムにおける利用者のスマートフォンの「マトリックス型二次元コード」画面を示す正面図である。
【図１７】本発明検索システムにおける利用者のスマートフォンの「マップ表示」画面を示す正面図である。
【実施例】
【０００９】
本発明検索システムは、図書館において、書籍を収納する棚が電動式移動棚装置であっても、または固定棚装置であっても対応することができるように発明されたものである。そして、本発明検索システムは、先ず、図書館の書籍管理者がスマートフォン、タブレットあるいは携帯パソコン等の高機能携帯端末を使用して、図書館に新しく収蔵される書籍に付けられた資料番号、書籍名、著者名、発行年月日等の書籍情報および収納棚の棚列・棚段番号の収納棚位置情報の各情報を、図書館に設置された書籍管理パソコンのデータベースに登録すると共に、前記登録された各情報をマトリックス型二次元コードに変換して登録すると共に、前記高機能携帯端末のカメラ機能を利用して書籍表紙画像を撮影して、該表紙画像を写真情報として前記マトリックス型二次元コードに紐付けして前記書籍管理パソコンのデータベースに登録することが必要である。
【００１０】
すなわち、本発明は、図書館の書籍管理者がスマートフォン、タブレットあるいは携帯パソコン等の高機能携帯端末に、図書館に新しく収蔵される書籍に付けられた資料番号、書籍名、著者名、発行年月日等の書籍情報および収納棚の棚列・棚段番号の収納棚位置情報等の各情報を登録すると共に、前記登録された各情報をマトリックス型二次元コードに変換して登録する一方、前記高機能携帯端末のカメラ機能を利用して書籍表紙画像を撮影して、該表紙画像を写真情報として前記マトリックス型二次元コードに紐付けして登録し、更に、前記高機能携帯端末に登録された前記各情報および前記表紙画像を取り込んだマトリックス型二次元コードを、図書館の書籍管理パソコンのデータベースに登録する一方、図書館利用者が、その所有するスマートフォン、タブレットあるいは携帯パソコン等の高機能携帯端末を図書館の前記書籍管理パソコンのデータベースに接続して、該データベースに登録された書籍情報、収納棚位置情報および書籍写真情報を検索できるようにしたものである。以下、本発明システムについて詳細に説明する。
【００１１】
図書館で新規の書籍を受け入れて収蔵する場合、図１に示すように、書籍１には、ＩＳＢＮ（書籍コード）がＩＳＢＮ番号バーコード２として裏表紙に印刷表示されると共に、図書館独自の分類番号等の資料番号がバーコード化されて、該資料番号バーコード３として前記書籍１の裏表紙に取付けられており、更に前記書籍１が収納される棚４（図２においては、移動棚が使用されている）の棚列番号および棚段番号がバーコード化されて、該棚列・棚段バーコード５として各収納棚板６の前面に取付けられている。
【００１２】
前記各バーコード２・３・５は、図書館の書籍管理者がスマートフォン、タブレットあるいは携帯パソコン等の高機能携帯端末７のカメラ機能を用いて読込み、前記読み込まれた各バーコード２・３・５情報を図書館に設置された書籍管理パソコン８のデータベース９に送信して登録する。なお、以下本実施例においては、前記図書館の書籍管理者が使用する高機能携帯端末７として、便宜上、スマートフォン７を使用するものとして説明する。
【００１３】
図書館に設置された書籍管理パソコン８のデータベース９に前記図書館の図書管理者がスマートフォン７を用いて、前記バーコード等の各情報を登録するために、前記スマートフォン７には、図書館で新規に収蔵された書籍１の書籍名、著者名、発行所名、発行年月日、ＩＳＢＮ番号、資料番号および該書籍１が収納されている棚の棚列・棚段番号をプログラムするための書籍情報管理ソフトが搭載されている。
【００１４】
前記スマートフォン７の書籍情報管理ソフトを起動すると、図３のスマートフォン７の「メインメニュー」のホーム画面に示すように、初期画面に表題として、上方に「書籍情報管理」と表示されると共に、「新規登録」、「情報編集」、「情報削除」の３つの選択メニューが表示される。「新規登録」は、新規に書籍情報を登録する場合に使用し、「情報編集」は一旦登録された書籍情報の変更の場合に使用し、「情報削除」は一旦登録された書籍情報を削除する場合に使用するものである。
【００１５】
前記「書籍情報管理」の初期メニューから、「新規登録」をタップすると、図４に示すように、上方のメニューバーに「登録情報入力」と、「カメラ起動アイコン」が表示されると共に、該初期画面の上方に、書籍の表紙写真を表示する「写真表示画面」が表示され（図においては、書籍の表紙写真はまだ取込むことができないので、例えば、「写真を準備中です」等の未入力であることが表示される。
【００１６】
前記「登録情報入力」の「写真表示画面」の下方には、「書籍名」・「著者名」・「ローマ字表示」・「発行年月日」・「巻（号）」・「格納（収納）棚」等の入力欄が表示されると共に、最下段のタブには「ＩＳＢＮ読取」・「資料番号読取」および「棚板読取」のためのタブがそれぞれ選択できるよう配設されている。前記「書籍名」・「著者名」・「ローマ字表示」・「発行年月日」・「巻（号）」・「格納（収納）棚」の各入力欄をタップすると、文字を入力するためのキーボードが表示され、該キーボードを操作して、「書籍名」・「著者名」・「ローマ字表示」・「発行年月日」・「巻（号）」の適宜文字を入力して、それぞれ変換・選択して、所定の文字、記号を入力できるよう形成されている。
【００１７】
前記図４の「登録情報入力」画面において、下方のメニューバーの右側の「棚板読取」タブをタップすると、カメラが自動的に起動し、図５に示すように画面に「棚板コード読取」のメッセージが表示され、書籍１が収納される収納棚板６の前面に取付けられている棚列番号および棚段番号をバーコード化した棚板・棚段バーコード５を確認して、前記カメラにより読込むと、該読込まれた棚列・棚段バーコード５は前記「情報入力画面」に反映されて、棚列・棚段番号が表示される。
【００１８】
更に、前記図４の「登録情報入力」画面において、下方のメニューバーの左側の「ＩＳＢＮ読取」タブをタップすると、図６に示すように、カメラが自動的に起動し、画面に「ＩＳＢＮバーコード読取」のメッセージが表示され、前記書籍１の裏表紙に表示されている「ＩＳＢＮ番号」の確認後、前記カメラによりＩＳＢＮ番号バーコード２を読込むと、該読込まれたＩＳＢＮ番号バーコード２は前記「情報入力画面」に反映されて、ＩＳＢＮ番号が表示される。
【００１９】
また、前記図４の「登録情報入力画面」において、下方のメニューバーの中央の「資料番号読取」タブをタップすると、カメラが自動的に起動し、図示していないが、前記図４〜６の機能と同様に、画面に「資料番号読取」のメッセージが表示され、確認後前記カメラにより前記予めバーコード化されて書籍１に取付けられた資料番号バーコード３を読込むと、該読込まれた資料番号３は前記「登録情報入力画面」に反映されて、棚列・棚段番号が表示される。
【００２０】
前記入力作業が完了すると、画面は自動的に図７に示す確認画面となり、前記図４の登録情報入力画面に入力した情報が表示されると共に、前記入力した各情報から、マトリックス型二次元コード１０が自動生成されて表示される。なお、この時点においては、図７の「確認画面」には、書籍表紙写真は取込まれていないので表示されない。しかしながら、前記図７においては、書籍表紙写真１ａが表示されているが、これは後述する段落［００２３］における確認後の写真が表示されているのである。
【００２１】
更に、図７の上方のメニューバーの「ＱＲコード保存」(図７においては、マトリックス型二次元コードの一般名称である「ＱＲコード(登録商標)」と表示されている)タブをタップすると、図８に示すように画面にマトリックス型二次元コード１０のみが表示されると共に、「このＱＲコード（マトリックス型二次元コード）を端末内に保存しますか」というメッセージが表示され、「保存」タブをタップすると、前記マトリックス型二次元コード１０が前記スマートフォン７のカメラロールに保存される。
【００２２】
そして、前記各情報およびマトリックス型二次元コード１０を前記スマートフォン７のカメラロールに登録後、図４の「登録情報入力」画面において、「カメラ起動アイコン」タブをタップすると、図９に示すように、カメラが起動状態となり、画面には「書籍／資料画像撮影」の表示がなされ、書籍１の表紙を確認して写真撮影の準備完了後、「ＯＫ」タブをタップすると、書籍１の表紙が撮影され、該撮影された表紙画像１ａは前記図７の「情報入力画面」に反映されて、この段階で初めて前記撮影した表紙写真１ａとして表示される。
【００２３】
前記撮影された表紙画像１ａを図７の「確認画面」において確認した後、間違いがなければ、「登録」タブをタップすると、図７の「確認画面」に示すように、前記撮影された表紙画像１ａは前記マトリックス型二次元コード１０に紐付けされて、前記スマートフォン７に登録される。
【００２４】
その後、前記スマートフォン７に登録された前記書籍情報、収納棚位置情報、表紙画像１ａおよびマトリックス型二次元コード１０を、図書館の書籍管理パソコン８のデータベース９に送信することにより、前記すべての情報が書籍管理パソコン８のデータベース９に登録保存され、前記各登録情報を、前記スマートフォン７と書籍管理パソコン８のデータベース９で共有することができる。すなわち、本発明においては、前記スマートフォン７を使用することにより、書籍情報と収納棚位置情報、表紙写真情報およびマトリックス型二次元コード１０を書籍管理パソコン８のデータベース９に簡単に登録することができる。特に、従来の書籍登録においては登録できなかった書籍表紙写真を登録することができる。
【００２５】
前記スマートフォン７および書籍管理パソコン８のデータベース９に登録された情報に、変更や更新をする必要が生じた場合は、図３のスマートフォン７の「書籍情報管理」画面を呼出し、「情報編集」タブをタップすると、図示していないが、「情報編集」画面となって、前記図７の確認画面が表示され、前記情報入力操作と同様の操作として、登録情報を編集して前記スマートフォン７に登録する。その後、前記スマートフォン７に登録された「登録情報編集」の内容を前記書籍管理パソコン８のデータベース９に送信して、該データベース９に「情報編集」の登録をして保存する。
【００２６】
更に、図書館に収蔵された書籍が廃棄処分される場合、前記スマートフォン７および書籍管理パソコン８のデータベース９に登録された情報を削除する必要があるが、その時は、図３の前記スマートフォン７の「書籍情報管理」画面を呼出し、「情報削除」タブをタップすると、図示していないが、「情報削除」画面となって、前記図７の情報確認画面が表示されると共に、「情報を削除しますか」のメッセージが表示され、「ＯＫ」タブをタップすると、前記スマートフォン７内の情報が削除され、その後前記スマートフォン７で削除された「情報の削除」を書籍管理パソコン８のデータベース９に送信して、「情報の削除」がなされ、前記情報が前記データベース９から消去される。
【００２７】
前記スマートフォン７を用いて書籍管理者が、図書館に新しく収蔵される書籍に付けられた資料番号、書籍名、著者名、発行年月日等の書籍情報および書籍を収納する収納棚の棚列・棚段番号の収納棚位置情報を、前記スマートフォン７に登録すると共に、前記登録された各情報をマトリックス型二次元コードに変換して登録する一方、前記スマートフォン７のカメラ機能を利用して書籍表紙画像を撮影して、該スマートフォン７に書籍写真情報として取込んでマトリックス型二次元コード１０に紐付けして登録し、更に、前記スマートフォン７に登録された前記各情報および表紙画像を取り込んだマトリックス型二次元コード１０を、図書館の書籍管理パソコン８のデータベース９に送信して登録して保存する。
【００２８】
そして、前記したように、本発明検索システムは、図書館において、書籍を収納する棚が電動式移動棚装置であっても、また固定棚装置であっても採用することができ、前記電動式移動棚装置、または固定棚装置と前記書籍管理パソコン８のデータベース９とを有線または無線で接続して使用する。
【００２９】
本発明検索システムに使用する電動式移動棚装置Ｔとしては、特に限定する必要はないが、好ましくは、図１０に示す装置を使用することが推奨される。すなわち、図１０に示すように、電動式移動棚装置Ｔは、床上に敷設されたレールＲ上に移動棚Ａ〜Ｅが走行車輪Ｗを介して左右方向に移動可能に配置されている。前記移動棚Ａ〜Ｅを移動させることにより、各棚間に作業用通路１１〜１４を形成できる。
【００３０】
前記各移動棚Ａ〜Ｅに収納される各書籍１には、前記したように、ＩＳＢＮ（書籍コード）がＩＳＢＮ番号バーコード２として裏表紙に印刷表示されると共に、図書館独自の分類番号等の資料番号がバーコード化されて、該資料番号バーコード３が前記書籍１の裏表紙に取付けられており、更に、既に前記図２において説明したが、前記各移動棚Ａ〜Ｅにおいて、前記各書籍１を収納する各棚板４の収納棚板６の前面には、前記各移動棚Ａ〜Ｅの棚列と棚段を管理するための棚列・棚段バーコード５がそれぞれ取付けられている。そして、前記各バーコード２・３・５は、前記したように、前記スマートフォン７にカメラ機能を利用して読込まれて登録される。
【００３１】
前記スマートフォン７に、書籍１の著者名、発行年月日等の書籍情報、および前記書籍１のＩＳＢＮ番号バーコード２、資料番号バーコード３と、書籍１を収納した棚列・棚段バーコード５を読込んで登録した後、前記各情報をマトリックス型二次元コード１０に変換して登録すると共に、前記変換されたマトリックス型二次元コード１０に、前記スマートフォン７のカメラ機能を利用して撮影された書籍表紙写真を紐付して書籍表紙写真を登録する。そして、これらスマートフォン７に登録された前記各情報を、図書館を管理する書籍管理パソコン８のデータベース９に送信して登録する。これにより、前記書籍管理パソコン８のデータベース９に前記スマートフォン７を介しての前記各情報の登録作業は完了する。そしてその後、特に限定する必要はないが、好ましくは、前記書籍管理パソコン８のデータベース９に、書籍1が収納されている棚位置をマップで表示する、例えば後述する図１７に示すようなマップ表示機能を備えるよう設定登録することが推奨される。
【００３２】
また、前記各移動棚Ａ〜Ｅのいずれかの正面板１８には、後述する図書館利用者が所有するスマートフォン１５に取込まれたマトリックス型二次元コード１０、または後述する図書館利用者が取出し指示票１７としてプリントアウトしたマトリックス型二次元コード１０をかざして、前記マトリックス型二次元コード１０を読み込むリーダー１９が設置されると共に、前記リーダー１９で読み込まれた前記マトリックス型二次元コード１０に記録された情報を表示するタッチパネル式ディスプレイ装置２０が前記正面板１８に設置されている。また、前記タッチパネル式ディスプレイ装置２０は移動棚制御システム２１とケーブル等により接続されている。
【００３３】
そして、図書館利用者が前記マトリックス型二次元コード１０に基づき、所望の書籍１を移動棚より取り出すためには、該所望の書籍１を収納した移動棚を探し、所定の移動棚より取り出す必要があるが、前記各移動棚Ａ〜Ｅは前記移動棚制御システム２１の制御により、前記各移動棚Ａ〜Ｅのうち所定の移動棚を移動させて、所望の書籍１を取り出すための作業用通路を形成することができる。
【００３４】
前記電動式移動棚装置において、図書館利用者が書籍を検索する場合について説明する。図書館利用者は、その所有するスマートフォン、タブレットあるいは携帯パソコン等の高機能携帯端末を用いて書籍を検索することができるが、本実施例においては、前記高機能携帯端末１５として、便宜上、スマートフォン１５を使用するものとして説明する。そして、前記スマートフォン１５には、書籍を検索する書籍検索素ソフトが搭載されている。先ず、図書館利用者が、該図書館利用者のスマートフォン１５の書籍検索ソフトを起動すると、図１２のスマートフォン１５の「メインメニュー」のホーム画面に示すように、初期画面の表題として、上方に「書籍検索」と表示されると共に、「書籍名検索」、および「ＱＲコード／バーコード検索」（図１２においては、マトリックス二次元コードの一般名称である「ＱＲコード（登録商標）」と表示されている）の２つの選択メニューが表示される。「書籍名検索」は、書籍名を入力して検索する場合に使用し、「ＱＲコード／バーコード検索」は、後述する前記取出し指示票１７に表示されたマトリックス二次元コード１０を利用者のスマートフォン１５のカメラ機能を用いて読込んで書籍名を検索するときに使用するものである。
【００３５】
前記図１２の「書籍検索」画面において、「書籍名検索」タブをタップすると、図１３に示すように「書籍名検索」画面となり、入力欄をタップすると、文字を入力するためのキーボードが表示され、該キーボードを操作して、検索する書籍名の文字を入力して、変換・選択して検索するよう形成されているが、少なくとも書籍名のうち、３文字以上を入力して、「検索」をタップすると、図書館の図書管理パソコン８のデータベース９に接続されて検索処理が行われ、その後、図１４の「検索結果」に示すように、前記少なくとも３文字の検索文字を含む書籍名の一覧が表示される。
【００３６】
そして、前記図１４の一覧表示中から、該当する書籍名をタップすると、図１５に示す「書籍情報」画面に移行し、書籍表紙写真、書籍名、著者名、収納棚（棚列・棚段番号）および資料番号の検索情報が表示される。
【００３７】
前記図１５の「書籍情報」画面において、前記検索情報が表示された画面の下方のメニューバーは、図示されていないが、「情報」・「マップ（案内図）」および「ＱＲコード」の３つのタブにそれぞれ分割されており、これら各タブをタップすることにより、書籍１の詳細や書籍１を収納している棚位置のマップを表示することができる。
【００３８】
すなわち、前記図１５の下方のメニューバーの「情報」タブをタップすると、図１５に示すような書籍情報と表紙写真情報（図１５においては、表紙写真情報は未入力のため表示されていない）が表示される。また、「マップ（案内図）」タブをタップすると、図１７に示すような、選択した書籍１を収納した棚を明瞭に示すため、例えば着色表示したマップ（案内図）３１が表示される。これにより、利用者は選択した書籍１の収納棚を直ちに確認することができる。
【００３９】
更に、前記図１５の「書籍情報」画面において、「ＱＲコード（マトリックス型二次元コード）」タブをタップすると、図１６に示すような前記書籍管理パソコン８のデータベース９に登録されたマトリックス型二次元コード１０が表示される。前記マトリックス型二次元コード１０には、書籍１の資料番号、書籍名、著者名、発行年月日等の書籍情報、および収納棚位置情報がマトリックス型二次元コードに変換されて登録されている。更に、表紙写真情報も前記マトリックス型二次元コード１０に紐付けされて登録されている。
【００４０】
図書館利用者は、その所有するスマートフォン１５で、前記図１５の「書籍情報」画面において、書誌情報を検索して選択した書籍情報が所望する書籍である場合、前記書籍情報を変換して登録したマトリックス型二次元コード１０を呼び出し、該マトリックス型二次元コード１０を前記電動式移動棚装置Ｔに設置されたリーダー１９にかざして、前記マトリックス型二次元コード１０に記録された情報をタッチパネル式ディスプレイ装置２０に表示させ、前記タッチパネル式ディスプレイ装置２０に表示された情報が、図書館利用者の所望する書籍の情報と一致するものであれば、前記タッチパネル式ディスプレイ装置２０のタッチパネルスイッチにタッチすることにより、前記移動棚制御システム２１を介して電動式移動棚の移動指令を発する。
【００４１】
そして、図書館利用者が前記タッチパネル式ディスプレイ装置２０のタッチパネルスイッチにタッチして、移動棚の移動指令を発すると、移動棚制御システム２１により移動棚は自動運転されて、書籍１の取り出し、または収納が可能なように作業用通路が形成される。これにより、図書館利用者は通路内に進入し、所望の書籍１を取り出し、または収納することができる。
【００４２】
また、図書館利用者は、その所有するスマートフォン１５で、前記図１５の「書籍情報」画面において、書誌情報を検索して選択した書籍情報が所望する書籍である場合、当該書籍に関して前記書籍管理パソコン８のデータベース９に登録情報を変換して登録されたマトリックス型二次元コード１０をプリンター１６で取出し指示票１７としてプリントアウトして、該プリントアウトされたマトリックス型二次元コード１０を利用者のスマートフォン１５にカメラ機能を利用して取り込んで保存し、該カメラ機能を利用して取り込んで保存されたマトリックス型二次元コード１０をリーダー１９にかざして、該マトリックス型二次元コード１０に記録された情報およびその他の書籍情報をタッチパネル式ディスプレイ装置２０に表示させ、前記タッチパネル式ディスプレイ装置２０に表示された情報が、図書館利用者の所望する書籍の情報と一致するものであれば、前記タッチパネル式ディスプレイ装置２０のタッチパネルスイッチにタッチして、前記移動棚制御システム２１を介して移動棚の移動指令を発することもできる。
【００４３】
なお、図書館利用者は、利用者のスマートフォン１５に表示されたマトリックス型二次元コード１０を、書籍１の取り出し後も保管しておくことにより、一旦取り出した書籍１を元の棚（電動式移動棚および固定棚）に収納する場合、または時間をおいて、あるいは異なった日に前記と同一の書籍１を取り出す場合も、取り出し、または収納する度ごとにいちいち書籍管理パソコン８により所望する書籍１を検索することなく、前記保管しているマトリックス型二次元コード１０を使用して、単に前記リーダー１９にかざして直ちに該マトリックス型二次元コード１０に記録された情報と、その他の書籍情報をタッチパネル式ディスプレイ装置２０に表示させることにより、極めて迅速に書籍の出納作業ができるのである。
【００４４】
前記したものは、図書館の書籍管理者がスマートフォン７を用いて、各情報を登録した書籍管理パソコン８のデータベース９に接続される棚装置として、電動式移動棚装置Ｔにつき説明したが、図１１に示すような固定棚装置Ｓにも使用することができる。
【００４５】
すなわち、固定棚装置Ｓは、図１１に示すように、床面上に各固定棚Ｆ〜Ｊが各棚間に作業用通路２１〜２４を形成して設置されている。前記各固定棚Ｆ〜Ｊに収納される各書籍１には、前記電動式移動棚装置におけると同様に、ＩＳＢＮ（書籍コード）がＩＳＢＮ番号バーコード２として裏表紙に印刷表示されると共に、図書館独自の分類番号等の資料番号がバーコード化されて、該資料番号バーコード３が前記書籍１の裏表紙に取付けられており、前記各固定棚Ｆ〜Ｊにおいて、図示していないが、前記各書籍１を収納する各棚４の収納棚板６の前面には、前記各固定棚Ｆ〜Ｊの棚列、棚段を管理するための棚列・棚板バーコード５がそれぞれ取付けられている。そして、前記各バーコード２・３・５は、前記同様、図書管理者のスマートフォン７にカメラ機能を利用して読込まれて登録される。
【００４６】
前記図書館の図書管理者のスマートフォン７に前記書籍１のＩＳＢＮ番号バーコード２、資料番号バーコード３と、書籍１を収納した棚列・棚段バーコード５を読込んで登録した後、前記電動式移動棚装置におけると同様に、前記スマートフォン７に、前記書籍１の著者名、発行年月日等の各書籍情報を変換して登録したマトリックス型二次元コード１０、および該マトリックス型二次元コード１０に紐付けされた書籍表紙写真を登録する。そして、前記図書管理者の所有するスマートフォン７に登録された前記各情報および表紙画像として取り込んだマトリックス型二次元コード１０マトリックス型二次元コード１０を、図書館を管理する書籍管理パソコン８のデータベース９に送信して登録する。
【００４７】
前記書籍管理パソコン８のデータベース９に前記図書館の図書管理者のスマートフォン７を介して各情報が登録されると、前記電動式移動棚装置において説明したのと同様に、図書館利用者は、その所有するスマートフォン１５を有線または無線で書籍管理パソコン８に接続して、所望する書籍１に関する所定の書籍情報を入力して書籍の検索をして、前記書籍管理パソコン８のデータベース９に登録情報を変換して登録したマトリックス型二次元コード１０を、前記スマートフォン１５に登録して保存し、またはプリンター１６で取出し指示票１７としてプリントアウトすることができるよう形成されている。
【００４８】
一方、前記各固定棚Ｆ〜Ｊのいずれかの正面板１８には、前記プリントアウトした取出し指示票１７のマトリックス型二次元コード１０、あるいは利用者のスマートフォン１５に取込まれたマトリックス型二次元コード１０をかざして、該取出し指示票１７または利用者のスマートフォン１５に表示されたマトリックス型二次元コード１０を読み込むリーダー１９が設置されると共に、前記リーダー１９で読み込まれた前記マトリックス型二次元コード１０に記録された情報を表示するタッチパネル式ディスプレイ装置２０が前記正面板１８に設置されている。
【００４９】
前記固定棚装置において、図書館利用者が書籍を検索する場合について説明する。図書館利用者が、その所有するスマートフォン１５を有線または無線で書籍管理パソコン８に接続して、所望する書籍１に関する所定の書籍情報を入力して書籍の検索をして、前記書籍管理パソコン８のデータベース９に登録情報を変換して登録したマトリックス型二次元コード１０を前記スマートフォン１５に登録して保存し、該マトリックス型二次元コード１０をリーダー１９にかざして、該マトリックス型二次元コード１０に記録された情報をタッチパネル式ディスプレイ装置２０に表示させ、前記タッチパネル式ディスプレイ装置２０に表示された情報が、図書館利用者の所望する書籍の情報と一致するものであれば、前記タッチパネル式ディスプレイ装置２０のタッチパネルスイッチにタッチして、該タッチパネル式ディスプレイ装置２０に表示された棚列・棚段番号に関する情報に従い、図書館利用者は所望の書籍１が収納されている固定棚の作業用通路に進入し、前記書籍１を取出すことができる。
【００５０】
また、図書館利用者は、その所有するスマートフォン１５で、前記図１５の「書籍情報」画面において、書誌情報を検索して選択した書籍情報が所望する書籍である場合、当該書籍に関して前記書籍管理パソコン８のデータベース９に登録情報を変換して登録されたマトリックス型二次元コード１０をプリンター１６で取出し指示票１７としてプリントアウトして、該プリントアウトされたマトリックス型二次元コード１０を利用者のスマートフォン１５にカメラ機能を利用して取り込んで保存し、該カメラ機能を利用して取り込んで保存されたマトリックス型二次元コード１０をリーダー１９にかざして、該マトリックス型二次元コード１０に記録された情報およびその他の書籍情報をタッチパネル式ディスプレイ装置２０に表示させ、前記タッチパネル式ディスプレイ装置２０に表示された情報が、図書館利用者の所望する書籍の情報と一致するものであれば、前記タッチパネル式ディスプレイ装置２０のタッチパネルスイッチにタッチして、該タッチパネル式ディスプレイ装置２０に表示された棚列・棚段番号に関する情報に従い、図書館利用者は所望の書籍１が収納されている固定棚の作業用通路に進入し、前記書籍１を取出すことができる。
【００５１】
なお、図書館利用者は、前記電動式移動棚装置におけると同様、固定棚装置においても、前記利用者のスマートフォンに表示されたマトリックス型二次元コード１０を書籍１の取り出し後も保管しておくことにより、一旦取り出した書籍１を元の棚に収納する場合、または時間をおいて、あるいは異なった日に前記と同一の書籍１を取り出す場合も、取り出し、または収納する度ごとにいちいち書籍管理パソコン８により所望する書籍１を検索することなく、前記保管しているマトリックス型二次元コード１０を使用して、単に前記リーダー１９にかざして直ちに該マトリックス型二次元コード１０に記録された情報と、その他の書籍情報をタッチパネル式ディスプレイ装置２０に表示させることにより、極めて迅速に書籍の出納作業ができるのである。
【符号の説明】
【００５２】
Ｔ  電動式移動棚装置
Ｓ  固定棚装置
Ｒ  レール
Ａ〜Ｅ  移動棚
Ｆ〜Ｊ  固定棚
１  書籍
１ａ  書籍の表紙画像
２  ＩＳＢＮ番号バーコード
３  資料番号バーコード
４  棚
５  棚列・棚段バーコード
６  収納棚板
７  図書管理者の高機能携帯端末（スマートフォン）
８  書籍管理パソコン
９  データベース
１０  マトリックス型二次元コード（ＱＲコード）
１１〜１４  作業用通路
１５  利用者の高機能携帯端末（スマートフォン）
１６  プリンター
１７  取出し指示票
１８  正面板
１９  リーダー
２０  タッチパネル式ディスプレイ装置
２１  移動棚制御システム
３１  マップ表示
【図１】
2015215881.tif 000003
【図２】
2015215881.tif 000004
【図３】
2015215881.tif 000005
【図４】
2015215881.tif 000006
【図５】
2015215881.tif 000007
【図６】
2015215881.tif 000008
【図７】
2015215881.tif 000009
【図８】
2015215881.tif 000010
【図９】
2015215881.tif 000011
【図１０】
2015215881.tif 000012
【図１１】
2015215881.tif 000013
【図１２】
2015215881.tif 000014
【図１３】
2015215881.tif 000015
【図１４】
2015215881.tif 000016
【図１５】
2015215881.tif 000017
【図１６】
2015215881.tif 000018
【図１７】
2015215881.tif 000019